(57)【特許請求の範囲】
【請求項１】
注文を管理するための注文管理システムであって、
制限時間内に所定の商品の注文が可能な所定のプランであって複数の利用客の各々の前記所定のプランの適用状態を管理するように構成されたプラン管理部と、
店員端末において表示される店員用画面を介して入力される商品の注文を受け付けるように構成された注文受付部と、を備え、
前記店員用画面は、前記複数の利用客の各々の前記所定のプランの適用状態に少なくとも基づく情報を表示するように構成されており、
前記プラン管理部は、前記所定のプランの適用がある利用客のラストオーダーの実施状態を、前記店員用画面を介したラストオーダーの実施入力に少なくとも基づいて管理するように構成されており、
前記店員用画面は、未実施であるラストオーダーの予定時刻を現在時刻が超過している場合に、商品の注文の入力に応じて、ラストオーダーの実施入力を提案するように構成されている、注文管理システム。
【請求項２】
前記店員用画面は、前記所定のプランの適用がある利用客と、前記所定のプランの適用がない利用客と、を識別可能に表示するように構成されている、
請求項１の注文管理システム。
【請求項３】
前記店員用画面は、前記所定のプランの適用がある利用客のラストオーダーの実施状態に少なくとも基づく情報を表示するように構成されている、
請求項１又は２の注文管理システム。
【請求項４】
前記プラン管理部は、ラストオーダーの予定時刻を管理するように構成されており、
前記店員用画面は、前記所定のプランの適用がある利用客のラストオーダーが未実施である場合にラストオーダーの予定時刻と現在時刻との差分に基づく情報を表示するように構成されている、
請求項３の注文管理システム。
【請求項５】
利用客の支払金額を算出するように構成された会計処理部をさらに備え、
前記会計処理部は、前記所定のプランの適用がある利用客のラストオーダーの実施までに注文された商品の金額を支払金額に加算しない一方、前記所定のプランの適用がある利用客のラストオーダーの実施後に注文された商品の金額を支払金額に加算するように構成されている、
請求項１ないし４何れかの注文管理システム。
【請求項６】
１又は複数のコンピュータによって実行され、注文を管理するための注文管理方法であって、
制限時間内に所定の商品の注文が可能な所定のプランであって複数の利用客の各々の前記所定のプランの適用状態を管理する工程と、
店員端末において表示される店員用画面を介して入力される商品の注文を受け付ける工程と、を備え、
前記店員用画面は、前記複数の利用客の各々の前記所定のプランの適用状態に少なくとも基づく情報を表示するように構成されており、
前記管理する工程において、前記所定のプランの適用がある利用客のラストオーダーの実施状態を、前記店員用画面を介したラストオーダーの実施入力に少なくとも基づいて管理し、
前記店員用画面は、未実施であるラストオーダーの予定時刻を現在時刻が超過している場合に、商品の注文の入力に応じて、ラストオーダーの実施入力を提案するように構成されている、注文管理方法。
【請求項７】
注文を管理するための注文管理プログラムであって、１又は複数のコンピュータに、
制限時間内に所定の商品の注文が可能な所定のプランであって複数の利用客の各々の前記所定のプランの適用状態を管理する処理と、
店員端末において表示される店員用画面を介して入力される商品の注文を受け付ける処理と、を実行させ、
前記店員用画面は、前記複数の利用客の各々の前記所定のプランの適用状態に少なくとも基づく情報を表示するように構成されており、
前記管理する処理において、前記所定のプランの適用がある利用客のラストオーダーの実施状態を、前記店員用画面を介したラストオーダーの実施入力に少なくとも基づいて管理し、
前記店員用画面は、未実施であるラストオーダーの予定時刻を現在時刻が超過している場合に、商品の注文の入力に応じて、ラストオーダーの実施入力を提案するように構成されている、注文管理プログラム。
【発明の詳細な説明】
【技術分野】
【０００１】
本発明は、注文を管理するためのシステム、方法、及びプログラムに関するものである。
【背景技術】
【０００２】
従来、飲食店等における料理の注文を管理するための様々なシステムが提案されている（例えば、下記特許文献１を参照）。こうしたシステムでは、例えば、店員がハンディ端末やタブレット端末等を用いて料理の注文を受け付けるようになっており、注文受付業務の効率化及び容易化が図られている。
【先行技術文献】
【特許文献】
【０００３】
【特許文献１】特許第６５３２５５３号公報
【発明の概要】
【発明が解決しようとする課題】
【０００４】
しかしながら、上述した従来のシステムは、一般的な注文受付業務の効率化及び容易化が図られるものの、細かな業務の支援が十分であるとは言えない。例えば、従来のシステムは、飲み放題及び食べ放題等のプラン（定額料金で制限時間内に予め定められた商品の注文が可能なプラン）が適用される利用客に対する注文受付業務の支援については改善の余地がある。
【０００５】
本発明は、飲み放題等のプランが適用される利用客に対する注文受付業務を支援することを目的の１つとする。本発明の他の目的は、本明細書全体を参照することにより明らかとなる。
【課題を解決するための手段】
【０００６】
本発明の実施形態に係るシステムは、注文を管理するための注文管理システムであって、制限時間内に所定の商品の注文が可能な所定のプランであって複数の利用客の各々の前記所定のプランの適用状態を管理するように構成されたプラン管理部と、店員端末において表示される店員用画面を介して入力される商品の注文を受け付けるように構成された注文受付部と、を備え、前記店員用画面は、前記複数の利用客の各々の前記所定のプランの適用状態に少なくとも基づく情報を表示するように構成されている。
【０００７】
この構成によれば、店員端末において表示される店員用画面が、飲み放題等の所定のプランの適用状態に基づく情報を表示するように構成されているから、店員は、各利用客の所定のプランの適用状態に関する情報を得つつ注文の受付を行うことができる。このように、上記システムは、飲み放題等のプランが適用される利用客に対する注文受付業務を支援する。
【０００８】
また、上記システムにおいて、前記店員用画面は、前記所定のプランの適用がある利用客と、前記所定のプランの適用がない利用客と、を識別可能に表示するように構成されている、ようにしても良い。こうすれば、店員は、各利用客の所定のプランの適用の有無を容易に知ることができる。
【０００９】
また、上記システムにおいて、前記プラン管理部は、前記所定のプランの適用がある利用客のラストオーダーの実施状態を管理するように構成されており、前記店員用画面は、前記所定のプランの適用がある利用客のラストオーダーの実施状態に少なくとも基づく情報を表示するように構成されている、ようにしても良い。こうすれば、店員は、所定のプランの適用がある利用客のラストオーダーの実施状態に関する情報を得ることができる。
【００１０】
また、上記システムにおいて、前記プラン管理部は、ラストオーダーの予定時刻を管理するように構成されており、前記店員用画面は、前記所定のプランの適用がある利用客のラストオーダーが未実施である場合にラストオーダーの予定時刻と現在時刻との差分に基づく情報を表示するように構成されている、ようにしても良い。こうすれば、店員は、所定のプランの適用がある利用客のラストオーダーの予定時刻と現在時刻との差分に関する情報（例えば、予定時刻までの残り時間、又は、予定時刻からの超過時間等）を得ることができる。この場合、前記プラン管理部は、前記店員用画面を介したラストオーダーの実施入力に少なくとも基づいてラストオーダーの実施状態を管理（更新）するように構成されており、前記店員用画面は、未実施であるラストオーダーの予定時刻を現在時刻が超過している場合に、商品の注文の入力に応じて、ラストオーダーの実施入力を提案するように構成されている、ようにしても良い。こうすれば、店員によるラストオーダーの実施入力が支援される。
【００１１】
また、上記システムにおいて、利用客の支払金額を算出するように構成された会計処理部をさらに備え、前記会計処理部は、前記所定のプランの適用がある利用客のラストオーダーの実施までに注文された商品の金額を支払金額に加算しない一方、前記所定のプランの適用がある利用客のラストオーダーの実施後に注文された商品の金額を支払金額に加算するように構成されている、ようにしても良い。こうすれば、ラストオーダーの実施の前後における注文商品の支払金額への反映を適切に制御することができる。
【００１２】
本発明の実施形態に係る方法は、１又は複数のコンピュータによって実行され、注文を管理するための注文管理方法であって、制限時間内に所定の商品の注文が可能な所定のプランであって複数の利用客の各々の前記所定のプランの適用状態を管理する工程と、店員端末において表示される店員用画面を介して入力される商品の注文を受け付ける工程と、を備え、前記店員用画面は、前記複数の利用客の各々の前記所定のプランの適用状態に少なくとも基づく情報を表示するように構成されている。
【００１３】
この構成によれば、店員端末において表示される店員用画面が、飲み放題等の所定のプランの適用状態に基づく情報を表示するように構成されているから、店員は、各利用客の所定のプランの適用状態に関する情報を得つつ注文の受付を行うことができる。このように、上記方法は、飲み放題等のプランが適用される利用客に対する注文受付業務を支援する。
【００１４】
本発明の実施形態に係るプログラムは、注文を管理するための注文管理プログラムであって、１又は複数のコンピュータに、制限時間内に所定の商品の注文が可能な所定のプランであって複数の利用客の各々の前記所定のプランの適用状態を管理する処理と、店員端末において表示される店員用画面を介して入力される商品の注文を受け付ける処理と、を実行させ、前記店員用画面は、前記複数の利用客の各々の前記所定のプランの適用状態に少なくとも基づく情報を表示するように構成されている。
【００１５】
この構成によれば、店員端末において表示される店員用画面が、飲み放題等の所定のプランの適用状態に基づく情報を表示するように構成されているから、店員は、各利用客の所定のプランの適用状態に関する情報を得つつ注文の受付を行うことができる。このように、上記方法は、飲み放題等のプランが適用される利用客に対する注文受付業務を支援する。
【発明の効果】
【００１６】
本発明の様々な実施形態は、飲み放題等のプランが適用される利用客に対する注文受付業務を支援する。
【図面の簡単な説明】
【００１７】
【図１】本発明の一実施形態に係る注文管理システム１の構成を概略的に示す構成図である。
【図２】席情報テーブルＴＡ１において管理される情報を例示する図である。
【図３】注文情報テーブルＴＡ２において管理される情報を例示する図である。
【図４】会計情報テーブルＴＡ３において管理される情報を例示する図である。
【図５】トップ画面５０を例示する図である。
【図６】商品分類一覧画面６０を例示する図である。
【図７】商品一覧画面７０を例示する図である。
【図８】注文確認画面８０を例示する図である。
【図９】「飲み放題」に対応する商品分類オブジェクト６２の選択に応じて表示される商品一覧画面７０を例示する図である。
【図１０】飲み放題プランが注文内容として入力されている場合の注文確認画面８０を例示する図である。
【図１１】飲み放題プランが適用されている席に対応する席オブジェクト５２を有するトップ画面５０を例示する図である。
【図１２】飲み放題プランが適用されている席に対応する席オブジェクト５２を例示する図である。
【図１３】席情報更新画面９０を例示する図である。
【図１４】ラストオーダー予定時刻が設定された後の席オブジェクト５２を例示する図である。
【図１５】ラストオーダー予定時刻が設定された後の席情報更新画面９０を例示する図である。
【図１６】飲み放題プランが適用されている場合の商品一覧画面７０を例示する図である。
【図１７】ラストオーダー予定時刻を超過した状態の席オブジェクト５２を例示する図である。
【図１８】ラストオーダー実施画面１００を例示する図である。
【図１９】ラストオーダーが実施された状態の席オブジェクト５２を例示する図である。
【図２０】ラストオーダーが実施された状態の席情報更新画面９０を例示する図である。
【発明を実施するための形態】
【００１８】
以下、図面を参照しながら、本発明の実施形態について説明する。
【００１９】
図１は、本発明の一実施形態に係る注文管理システム１の構成を概略的に示す構成図である。システム１は、図示するように、注文管理サーバ１０と、当該サーバ１０とインターネット等の通信ネットワークＮＷを介して通信可能に接続されていると共に飲食店等の店舗に配置されている店員端末３０及びレジ端末４０と、を備える。図１においては、１つの店舗に設置されている店員端末３０及びレジ端末４０のみが図示されているが、注文管理システム１は、複数の店舗の各々に設置されている店員端末３０及びレジ端末４０を備える。店員端末３０は、飲食店等の店舗において接客業務等を行う店員によって携帯及び操作され、１つの店舗において複数の店員端末３０が配置され得る。
【００２０】
注文管理サーバ１０は、一般的なコンピュータとしての構成を有する。具体的には、サーバ１０は、図１に示すように、ＣＰＵ又はＧＰＵとして構成されるコンピュータプロセッサ１１と、ＤＲＡＭ等によって構成されデータやプログラムを一時的に記憶するメインメモリ１２と、ユーザ等との間で情報のやり取りを行う入出力インタフェース１３と、有線又は無線の通信を制御する通信インタフェース１４と、磁気ディスク又はフラッシュメモリ等によって構成されデータやプログラムを記憶するストレージ１５とを備える。コンピュータプロセッサ１１は、ストレージ１５等に記憶されているプログラムをメインメモリ１２に読み込んで、当該プログラムに含まれる命令を実行する。
【００２１】
入出力インタフェース１３は、例えば、キーボード、マウス、及びタッチパネル等の情報入力装置、マイクロフォン等の音声入力装置、カメラ等の画像入力装置、ディスプレイ等の画像出力装置、及びスピーカ等の音声出力装置を含む。通信Ｉ／Ｆ１４は、ネットワークアダプタ等のハードウェア、各種の通信用ソフトウェア、又はこれらの組み合わせとして実装される。
【００２２】
本実施形態において、ストレージ１５は、図１に示すように、店舗における個別の席（テーブル）に関する情報を管理する席情報テーブルＴＡ１と、個別の注文に関する情報を管理する注文情報テーブルＴＡ２と、個別の会計（支払）に関する情報を管理する会計情報テーブルＴＡ３とを有する。
【００２３】
図２は、席情報テーブルＴＡ１において管理される情報を例示する。席情報テーブルＴＡ１は、図示するように、個別の店舗を識別する「店舗ＩＤ」、及び、当該店舗における個別の席を識別する「席番号」との組合せに対応付けて、現在の利用客の人数である「来店人数」、現在の利用客が来店した日時である「来店日時」、現在の利用客の現時点における飲み放題プランの適用の有無を示す「飲み放題フラグ」、飲み放題を開始した時刻である「飲み放題開始時刻」、飲み放題プランにおけるラストオーダーの予定時刻である「ラストオーダー予定時刻」、飲み放題プランにおけるラストオーダーの実施時刻である「ラストオーダー実施時刻」等の情報を管理する。
【００２４】
図３は、注文情報テーブルＴＡ２において管理される情報を例示する。注文情報テーブルＴＡ２は、図示するように、個別の店舗を識別する「店舗ＩＤ」、当該店舗における個別の席を識別する「席番号」、及び、「注文日時」の組合せに対応付けて、「注文内容」等の情報を管理する。「注文内容」は、商品（料理等の飲食物）及び注文数量の１又は複数の組合せによって構成される。
【００２５】
図４は、会計情報テーブルＴＡ３において管理される情報を例示する。会計情報テーブルＴＡ３は、図示するように、個別の店舗を識別する「店舗ＩＤ」、当該店舗における個別の席を識別する「席番号」、及び、「会計日時」の組合せに対応付けて、「会計金額」、「注文内容」等の情報を管理する。「注文内容」は、商品（料理等の飲食物）及び数量の１又は複数の組合せによって構成される。
【００２６】
図１に戻り、注文管理サーバ１０は、ストレージ１５等に記憶されているプログラムに含まれる命令をコンピュータプロセッサ１１が実行することによって、図示するように、プラン管理部１１２、注文受付部１１４、及び、会計処理部１１６として機能するように構成されている。
【００２７】
プラン管理部１１２は、飲み放題プランの管理に関する様々な処理を実行するように構成されている。本実施形態において、飲み放題プランは、定額料金で制限時間（例えば、２時間又は３時間）内に所定の飲み物を何回でも注文可能なプランとして定義される。例えば、プラン管理部１１２は、複数の利用客（席）の各々の飲み放題プランの適用状態を管理するように構成されている。
【００２８】
注文受付部１１４は、利用客からの注文の受付に関する様々な処理を実行するように構成されている。例えば、注文受付部１１４は、店員端末３０において表示される店員用画面を介して入力される商品の注文を受け付けるように構成されている。
【００２９】
会計処理部１１６は、会計（支払）に関する様々な処理を実行するように構成されている。例えば、会計処理部１１６は、利用客の注文内容に基づいて当該利用客の会計金額（支払金額）を算出するように構成されている。
【００３０】
店員端末３０は、一般的なコンピュータとしての構成を有する。具体的には、店員端末３０は、図１に示すように、ＣＰＵ又はＧＰＵとして構成されるコンピュータプロセッサ３１と、ＤＲＡＭ等によって構成されデータやプログラムを一時的に記憶するメインメモリ３２と、ユーザ等との間で情報のやり取りを行う入出力インタフェース３３と、有線又は無線の通信を制御する通信インタフェース３４と、磁気ディスク又はフラッシュメモリ等によって構成されデータやプログラムを記憶するストレージ３５とを備える。コンピュータプロセッサ３１は、ストレージ３５等に記憶されているプログラムをメインメモリ３２に読み込んで、当該プログラムに含まれる命令を実行する。
【００３１】
入出力インタフェース３３は、例えば、キーボード、マウス、及びタッチパネル等の情報入力装置、マイクロフォン等の音声入力装置、カメラ等の画像入力装置、ディスプレイ等の画像出力装置、及びスピーカ等の音声出力装置を含む。通信Ｉ／Ｆ３４は、ネットワークアダプタ等のハードウェア、各種の通信用ソフトウェア、又はこれらの組み合わせとして実装される。
【００３２】
店員端末３０は、例えば、スマートフォン、タブレット端末、ウェアラブルデバイス、又は専用端末等として構成される。店員端末３０は、ストレージ３５等にインストールされているウェブブラウザ又はその他のアプリケーションを介したサーバ１０との間の通信を伴って各種の画面を表示する。
【００３３】
レジ端末４０は、店員端末３０と同様のハードウェア構成を有する。レジ端末４０は、例えば、スマートフォン、タブレット端末、又は専用端末等として構成され、サーバ１０との間の通信を伴って各種の画面を表示する。
【００３４】
次に、このように構成された本実施形態の注文管理システム１の動作について説明する。図５は、店員端末３０において表示される店員用画面の１つであるトップ画面５０を例示する。当該画面５０には、図示するように、対象の店舗における複数の席（テーブル）に対応する複数の席オブジェクト５２が格子状に配置されている。
【００３５】
席オブジェクト５２は、対応する席が空席である場合と、対応する席が満席である（利用客が存在する）場合との間で外観（例えば、輪郭及び／又は背景）が異なる。図５の例では、対応する席が空席である席オブジェクト５２は、その輪郭が破線となっており、対応する席が満席である席オブジェクト５２は、その輪郭が実線となっている。また、席オブジェクト５２は、対応する席が空席である場合には、対応する席の席番号及び最大の着席（収容）人数（例えば、「４名席」）を表示し、対応する席が満席である場合には、対応する席の席番号及び実際の着席人数（例えば、「２名」）を表示する。店員は、利用客からの注文を入力する場合、当該利用客の席に対応する席オブジェクト５２のタップ操作を行う。
【００３６】
図６は、トップ画面５０の席オブジェクト５２のタップ操作に応じて表示される、店員用画面の１つである商品分類一覧画面６０を例示する。当該画面６０には、図示するように、各々が商品（料理等の飲食物）の分類に対応する複数の商品分類オブジェクト６２が格子状に配置されている。
【００３７】
図７は、商品分類一覧画面６０の商品分類オブジェクト６２の選択に応じて当該画面６０に重ねて表示される、店員用画面の１つである商品一覧画面７０を例示する。当該画面７０は、図示するように、現在選択されている商品分類（選択された商品分類オブジェクト６２に対応する商品分類）に含まれる商品を一覧表示する一覧表示領域７２と、注文確認ボタン７４とを有する。
【００３８】
一覧表示領域７２には、各々が個別の商品に対応する１又は複数の商品オブジェクト７２１が上下方向に並べて配置される。商品オブジェクト７２１がタップ操作されると、対応する商品の注文数量に１が加算される。店員は、利用客が注文した商品に対応する商品オブジェクト７２１を注文数量に対応する回数だけタップ操作を行う。
【００３９】
店員は、現在選択されている商品分類とは異なる別の商品分類に含まれる他の商品の注文を入力する場合には、現在の商品一覧画面７０を閉じて商品分類一覧画面６０へと戻り、当該別の商品分類に対応する商品分類オブジェクト６２を選択し、当該別の商品分類に対応する商品一覧画面７０を介して商品の注文の入力を行う。そして、今回の注文内容に含まれる全ての商品の注文を入力すると、店員は、商品一覧画面７０の注文確認ボタン７４を選択する。
【００４０】
図８は、商品一覧画面７０の注文確認ボタン７４の選択に応じて表示される、店員用画面の１つである注文確認画面８０を例示する。当該画面８０には、図示するように、現時点までに入力されている注文内容（商品及び注文数量の組合せ）が表示され（図８の例では、「生ビール  ４点」、「枝豆  ２点」、及び、「唐揚げ  ２点」の３つの組合せが表示されている。）、画面下端部において送信ボタン８２が配置されている。店員によって送信ボタン８２が選択されると、注文内容が店員端末３０から注文管理サーバ１０に対して送信され、サーバ１０は、受信した注文内容を、注文情報テーブルＴＡ２、及び、会計情報テーブルＴＡ３に反映する。なお、サーバ１０で受信した注文内容が、店舗のキッチン等に設置されているプリンタに送信され、当該プリンタにおいて印刷されるようにしても良い。
【００４１】
ここで、飲み放題プランに関する動作について説明する。図６に例示した商品分類一覧画面６０において右上隅に配置されている商品分類オブジェクト６２Ａは、「飲み放題」に対応する商品分類である。利用客が飲み放題プランの適用を希望する場合、店員は、当該商品分類オブジェクト６２Ａを選択する。
【００４２】
図９は、「飲み放題」に対応する商品分類オブジェクト６２の選択に応じて表示される商品一覧画面７０を例示する。図９の例では、飲み放題プランとして「飲み放題  スタンダード  １５００円」及び「飲み放題  プレミアム  ２０００円」の２つのプランが存在しており、店員は、これらの２つのプランのうち利用客が希望するプランを選択する。これらの２つのプランは、例えば、注文可能な商品（の種類）の数が異なっている。
【００４３】
図１０は、飲み放題プラン（具体的には、「飲み放題  スタンダード  １５００円」のプラン）が注文内容として入力されている場合の注文確認画面８０を例示する。当該画面８０において、店員によって送信ボタン８２が選択されると、注文内容が店員端末３０から注文管理サーバ１０に対して送信され、サーバ１０は、受信した注文内容を、注文情報テーブルＴＡ２、及び、会計情報テーブルＴＡ３に反映する。さらに、注文内容が飲み放題プランである場合には、サーバ１０は、対応する席の席情報テーブルＴＡ１の「飲み放題フラグ」の値を、飲み放題プランの適用が有ることを示す値（例えば、「１」）に変更する。
【００４４】
図１１は、飲み放題プランが適用されている席に対応する席オブジェクト５２を有するトップ画面５０を例示する。図１１の例において、上から１番目の行の左右方向中央に位置する席オブジェクト５２Ａ（席番号として「Ａ−２」が表示されている。）が、飲み放題プランが適用されている席に対応する席オブジェクト５２である。
【００４５】
図１２は、飲み放題プランが適用されている席に対応する席オブジェクト５２を例示する。こうした席オブジェクト５２は、図示するように、下端部において、飲み放題プランにおけるラストオーダーに関する情報を表示する情報表示領域５２１が配置される。飲み放題プランが適用された直後においては、情報表示領域５２１において「Ｌ．Ｏ．  未設定」と表示される。
【００４６】
店員は、飲み放題プランが適用された席に対して、ラストオーダー予定時刻を設定する必要がある。図１３は、トップ画面５０の席オブジェクト５２のロングタップ（長押し）操作に応じて表示される、店員用画面の１つである席情報更新画面９０を例示する。当該画面９０は、席単位の情報（例えば、席情報テーブルＴＡ１において管理されている情報）を更新するための画面であり、図示するように、更新対象となる情報を選択するための選択領域９２と、飲み放題プランの適用の有無を切り替えるための放題プラン切り替えボタン９４と、ラストオーダーの予定に関する情報を表示する予定表示領域９６と、ラストオーダーの予定時刻を設定するための予定時刻設定領域９７と、確定ボタン９８とを有する。
【００４７】
選択領域９２は、利用客の人数等の情報を更新対象とするための「お客様人数」、及び、飲み放題プランに関する情報を更新対象とするための「放題」の何れか一方を選択できるように構成されており、図１３の席情報更新画面９０は、選択領域９２において「放題」が選択されている状態に対応している。
【００４８】
放題プラン切り替えボタン９４は、トグルボタンとして構成されており、席情報テーブルＴＡ１の「飲み放題フラグ」の値に従って表示される。図１３の例におけるボタン９４は、飲み放題プランの適用が有る状態に対応しており、つまみ状のオブジェクトが右側に位置している。
【００４９】
予定時刻設定領域９７には、「９０分後」、「１０５分後」等の時間が表示された６つの設定ボタン９７１が配置されている。店員は、ラストオーダーまでの時間に対応するボタン９７１を選択する。例えば、制限時間が３時間（１８０分）の飲み放題プランである場合、ラストオーダーまでの時間は「１５０分」又は「１６５分」となる。
【００５０】
予定時刻設定領域９７に配置されている６つの設定ボタン９７１の何れかが選択された状態で確定ボタン９８が選択されると、選択内容が店員端末３０から注文管理サーバ１０に対して送信され、サーバ１０は、受信した選択内容に基づいて席情報テーブルＴＡ１を更新する。具体的には、席情報テーブルＴＡ１の「飲み放題開始時刻」に対して現在時刻が設定されると共に、「ラストオーダー予定時刻」に対して、選択された設定ボタン９７１に対応する時間を現在時刻に加算した時刻が設定される。
【００５１】
図１４は、ラストオーダー予定時刻が設定された（飲み放題が開始された）後の席に対応する席オブジェクト５２を例示する。この場合、図示するように、情報表示領域５２１において、現在時刻からラストオーダー予定時刻までの時間（図１４の例では、「あと８９分」）が表示される。
【００５２】
図１５は、ラストオーダー予定時刻が設定された後の席情報更新画面９０を例示する。この場合、図示するように、予定表示領域９６において、ラストオーダー予定時刻（図１５の例では「１５：２０」）に加えて、飲み放題の開始時刻（図１５の例では「１３：５０」）、及び、ラストオーダー予定時刻までの残り時間（図１５の例では「あと８８分」）が表示されている。また、この場合の席情報更新画面９０は、ラストオーダー予定時刻が設定される前の席情報更新画面９０における予定時刻設定領域９７に代えて、ラストオーダーの実施に関する情報を表示する実施表示領域９９が表示される。当該領域９９には、ラストオーダーの実施の有無を表示する実施有無表示オブジェクト９９１が配置されている。
【００５３】
図１６は、飲み放題プランが適用されている場合の商品一覧画面７０を例示する。この場合、当該画面７０の一覧表示領域７２において、飲み放題プランの対象となっている商品が表示されている場合には、対応する商品オブジェクト７２１において「￥０」と表示される。図１６の例では、商品「生ビール」及び「ビールグラス」に対応する商品オブジェクト７２１において「￥０」が表示されているから、店員は、これらの商品が飲み放題プランの対象の商品であることが分かる。なお、飲み放題プランと対象の商品との対応関係は、例えば、サーバ１０のストレージ１５等において管理される。
【００５４】
また、飲み放題プランが適用されている場合において、注文内容が店員端末３０から注文管理サーバ１０に対して送信されると、サーバ１０は、受信した注文内容のうち、飲み放題プランの対象でない商品の注文内容については、注文情報テーブルＴＡ２、及び、会計情報テーブルＴＡ３に反映する一方、飲み放題プランの対象である商品の注文内容については、注文情報テーブルＴＡ２のみに反映して会計情報テーブルＴＡ３には反映しない。この結果、飲み放題プランが適用されている状態において注文された飲み放題プランの対象の商品は、会計（支払金額の算出）から除外される。
【００５５】
図１７は、ラストオーダー予定時刻を超過した状態の席オブジェクト５２を例示する。この場合、図示するように、情報表示領域５２１において、ラストオーダー予定時刻からの超過時間（図１７の例では、「５分超過」）が表示される。なお、ラストオーダー予定時刻を超過した状態の情報表示領域５２１の背景色を超過する前の背景色から変化させる（例えば、白色から赤色に変化させる等）ようにしても良い。また、さらに、ラストオーダー予定時刻を超過する前に、当該予定時刻までの残り時間が所定の時間（例えば、３０分）以内となった段階で背景色を変化させる（例えば、白色からオレンジ色に変化させる等）ようにしても良い。
【００５６】
図１８は、ラストオーダー予定時刻を超過した状態である場合に、注文確認画面８０の送信ボタン８２の選択に応じて表示される、店員用画面の１つであるラストオーダー実施画面１００を例示する。当該画面１００は、図示するように、ラストオーダー予定時刻を超過していることを示すテキストを表示すると共に、ラストオーダー実施ボタン１０２と、ラストオーダー非実施ボタン１０４とを有する。店員によってラストオーダー実施ボタン１０２が選択されると、今回の注文内容がラストオーダーとなる（ラストオーダーが実施される）。一方、ラストオーダー非実施ボタン１０４が選択されると、今回の注文内容は通常の注文となり、ラストオーダーは実施されない。ラストオーダーが実施されると、席情報テーブルＴＡ１の「飲み放題フラグ」、及び、「ラストオーダー実施時刻」の値が更新され、具体的には、サーバ１０は、「飲み放題フラグ」の値を、飲み放題プランの適用が無いことを示す値（例えば、「０」）に変更し、また、「ラストオーダー実施時刻」に対して現在時刻を設定する。
【００５７】
図１９は、ラストオーダーが実施された状態の席オブジェクト５２を例示する。この場合、図示するように、情報表示領域５２１において、ラストオーダーが実施されたことを示す実施済オブジェクト５２１１が配置される。なお、ラストオーダーが実施された状態の情報表示領域５２１の背景色をラストオーダーの実施前（ラストオーダー予定時刻を超過した状態）の背景色から変化させる（例えば、赤色から灰色に変化させる等）ようにしても良い。
【００５８】
図２０は、ラストオーダーが実施された状態の席情報更新画面９０を例示する。この場合、図示するように、放題プラン切り替えボタン９４は、飲み放題プランの適用が無い状態に対応しており、つまみ状のオブジェクトが左側に位置している。また、実施表示領域９９において、飲み放題の終了時刻（ラストオーダー実施時刻）が表示されると共に、実施有無表示オブジェクト９９１は、ラストオーダーの実施が有る状態に対応する表示となり、その内側にチェックマークが付加される。なお、席情報更新画面９０の放題プラン切り替えボタン９４及び実施有無表示オブジェクト９９１を介して、店員が手動で、飲み放題プランの適用の有無、及び、ラストオーダーの実施の有無を変更できるようにしても良い。また、ラストオーダーが実施されて飲み放題プランの適用が無い状態となっても、飲み放題プランの対象の商品の注文は可能であるが、この場合、当該対象の商品についても会計金額に反映される。会計は、レジ端末４０において行われる。
【００５９】
本実施形態において、飲み放題プランに代えて、又は、これに加えて、食べ放題プランを適用することもできる。
【００６０】
以上説明した本発明の実施形態に係る注文管理システム１は、店員端末３０において表示される店員用画面が、飲み放題等のプランの適用状態に基づく情報を表示するように構成されているから、店員は、各利用客の飲み放題等のプランの適用状態に関する情報を得つつ注文の受付を行うことができる。このように、システム１は、飲み放題等のプランが適用される利用客に対する注文受付業務を支援する。
【符号の説明】
【００６１】
１…注文管理システム、１０…注文管理サーバ、１１…コンピュータプロセッサ、１１２…プラン管理部、１１４…注文受付部、１１６…会計処理部、１５…ストレージ、３０…店員端末、４０…レジ端末、５０…トップ画面、６０…商品分類一覧画面、７０…商品一覧画面、８０…注文確認画面、９０…席情報更新画面、１００…ラストオーダー実施画面、ＴＡ１…店情報テーブル、ＴＡ２…注文情報テーブル、ＴＡ３…会計情報テーブル。
【要約】      （修正有）【課題】飲み放題等のプランが適用される利用客に対する注文受付業務を支援する注文管理システムを提供する。【解決手段】注文管理システム１は、注文管理サーバ１０と、当該サーバ１０と通信ネットワークＮＷを介して通信可能に接続されていると共に飲食店等の店舗に配置されている店員端末３０及びレジ端末４０と、を備える。当該システムは、店員端末において表示される店員用画面が、飲み放題プランの適用状態に基づく情報を表示するように構成されており、店員が、各利用客の飲み放題プランの適用状態に関する情報を得つつ注文の受付を行うことができる。このように、システム１は、飲み放題等のプランが適用される利用客に対する注文受付業務を支援する。【選択図】図１【図１】
0006811817.tif 000002
【図２】
0006811817.tif 000003
【図３】
0006811817.tif 000004
【図４】
0006811817.tif 000005
【図５】
0006811817.tif 000006
【図６】
0006811817.tif 000007
【図７】
0006811817.tif 000008
【図８】
0006811817.tif 000009
【図９】
0006811817.tif 000010
【図１０】
0006811817.tif 000011
【図１１】
0006811817.tif 000012
【図１２】
0006811817.tif 000013
【図１３】
0006811817.tif 000014
【図１４】
0006811817.tif 000015
【図１５】
0006811817.tif 000016
【図１６】
0006811817.tif 000017
【図１７】
0006811817.tif 000018
【図１８】
0006811817.tif 000019
【図１９】
0006811817.tif 000020
【図２０】
0006811817.tif 000021